(57)【要約】【課題】内蔵スピーカから伝搬される振動による内蔵ハードディスクのアクセス不良が少ないハードディスク内蔵テレビの提供を目的とする。【解決手段】本発明に係るハードディスク内蔵機器は、筐体と、筐体に収納されたハードディスク５と、ハードディスク５に記録された音声信号により駆動されて第１音声を生成し、当該第１音声を筐体外に出力する、筐体に収納された内蔵スピーカ７と、内蔵スピーカ７が出力する音声信号の逆位相の音声信号を生成する逆位相音声信号生成部１５と、逆位相の音声信号により駆動されて第２音声を生成し、当該第２音声を筐体内に出力する、筐体に収納された制振用スピーカ８と、を備える。【選択図】図２
2015185986.tif 000002
【特許請求の範囲】
【請求項１】
筐体と、
前記筐体に収納されたハードディスクと、
前記ハードディスクに記録された音声信号により駆動されて第１音声を生成し、当該第１音声を前記筐体外に出力する、前記筐体に収納された第１スピーカと、
前記第１スピーカが出力する音声信号の逆位相の音声信号を生成する逆位相音声信号生成部と、
前記逆位相の音声信号により駆動されて第２音声を生成し、当該第２音声を前記筐体内に出力する、前記筐体に収納された第２スピーカと、を備える、
ハードディスク内蔵機器。
【請求項２】
前記ハードディスク内蔵機器はハードディスク内蔵映像表示機器であり、
前記筐体は、
前記ハードディスクに記録された映像信号を出力する表示パネルと、
前記表示パネルの側面及び背面を覆うケースと、
を備える、
請求項１に記載のハードディスク内蔵機器。
【請求項３】
前記ハードディスク内蔵機器はハードディスク内蔵テレビであり、
テレビ放送を受信する受信部と、
前記受信部が受信した前記テレビ放送の映像信号又は音声信号を前記ハードディスクに記録する記録部と、をさらに備え、
前記第１スピーカは、前記ハードディスクに記録された音声信号又は前記テレビ放送の音声信号により駆動される、
請求項１又は２に記載のハードディスク内蔵機器。
【発明の詳細な説明】
【技術分野】
【０００１】
本発明は、ハードディスク内蔵機器に関し、特に内蔵されたハードディスクの防振に関する。
【背景技術】
【０００２】
ハードディスク内蔵テレビは、デジタルテレビ放送などの番組を、手軽に録画し、または再生することができる。近年、ハードディスク内蔵テレビの大画面化が進んでおり、一般家庭用だけでなく、会議用、または教育用などにも使用されている。
【０００３】
特に、会議用や教育用のハードディスク内蔵テレビは、大音量で使用されるケースが多い。しかしながら、ハードディスク内蔵テレビを大音量で使用すると、内蔵スピーカの振動がハードディスクに伝播し、ハードディスクのデータのアクセス不良の原因になるという問題がある。
【０００４】
この問題に対して、特許文献１には、ハードディスクを制振保持する制振ユニットを設けたハードディスク内蔵テレビが開示されている。
【先行技術文献】
【特許文献】
【０００５】
【特許文献１】特開２０１０−１３０４５４号公報
【発明の概要】
【発明が解決しようとする課題】
【０００６】
しかしながら、特許文献１のハードディスク内蔵テレビによれば、ハードディスクの周囲に大がかりな制振ユニットや制振部材が必要であるため、コストが高くなる、という問題がある。また、制振部材は、スピーカから出力される全ての周波数帯域において有効では無いため、スピーカから出力されるであろう周波数、すなわち、使用する音声、音楽ソースなどの周波数に合わせて最適な制振部材に交換する必要がある、という問題がある。
【０００７】
本発明は、上記課題に鑑みてなされたもので、ハードディスク内蔵テレビ等のハードディスク内蔵機器において、内蔵スピーカから伝播される振動を軽減し、内蔵ハードディスクのアクセス不良を軽減することを目的とする。
【課題を解決するための手段】
【０００８】
本発明のハードディスク内蔵機器は、筐体と、筐体に収納されたハードディスクと、ハードディスクに記録された音声信号により駆動されて第１音声を生成し、当該第１音声を筐体外に出力する、筐体に収納された第１スピーカと、第１スピーカが出力する音声信号の逆位相の音声信号を生成する逆位相音声信号生成部と、逆位相の音声信号により駆動されて第２音声を生成し、当該第２音声を筐体内に出力する、筐体に収納された第２スピーカと、を備える。
【発明の効果】
【０００９】
本発明のハードディスク内蔵機器は、筐体と、筐体に収納されたハードディスクと、ハードディスクに記録された音声信号により駆動されて第１音声を生成し、当該第１音声を筐体外に出力する、筐体に収納された第１スピーカと、第１スピーカが出力する音声信号の逆位相の音声信号を生成する逆位相音声信号生成部と、逆位相の音声信号により駆動されて第２音声を生成し、当該第２音声を筐体内に出力する、筐体に収納された第２スピーカと、を備える。従って、制振用スピーカからの第２音声の振動とスピーカからの第１音声の振動とが打ち消し合うことにより、ハードディスクに伝搬する振動が緩和され、ハードディスクの振動によるアクセス不良が軽減される。
【図面の簡単な説明】
【００１０】
【図１】実施の形態１に係るハードディスク内蔵テレビの正面図である。
【図２】実施の形態１に係るハードディスク内蔵テレビの背面図である。
【図３】実施の形態１に係るハードディスク内蔵テレビに内蔵されたハードディスクと制振用スピーカを示す上面図である。
【図４】実施の形態１に係るハードディスク内蔵テレビに内蔵されたハードディスクと制振用スピーカを示す側面図である。
【図５】実施の形態１に係るハードディスク内蔵テレビの構成を示すブロック図である。
【発明を実施するための形態】
【００１１】
＜Ａ．実施の形態１＞
＜Ａ−１．構成＞
図１は、本発明の実施の形態１に係るハードディスク内蔵機器であるハードディスク内蔵テレビ１の正面図であり、図２はハードディスク内蔵テレビ１の背面図である。
【００１２】
図１，２を参照して、ハードディスク内蔵テレビ１は、筐体と、筐体をテレビ台等の上に設置するためのスタンド６とを備えている。筐体は、表示パネル２と、表示パネル２の周囲を覆うフロントカバー３と、表示パネル２の背面を覆うバックカバー４とを備えている。
【００１３】
表示パネル２は、例えば液晶表示パネルである。フロントカバー３は、例えばＡＢＳ材等の樹脂等を含む。バックカバー４は、樹脂又は金属を含む。
【００１４】
また、ハードディスク内蔵テレビ１は、筐体に内蔵された、ハードディスク５、スピーカ７及び制振用スピーカ８を備えている。フロントカバー３には、例えば表示パネル２の下側の左右対称な位置に穴３ａが設けられ、スピーカ７の音声が筐体外部に出力されるようになっている。なお、制振用スピーカ８に対してフロントカバー３に穴３ａのような穴は設けられておらず、制振用スピーカ８の音声は筐体内部に出力することを意図している。
【００１５】
図３は、ハードディスク内蔵テレビ１に内蔵されたハードディスク５と制振用スピーカ８を示す上面図である。図４は、図３のａ方向から見た図である。図３，４を参照して、ハードディスク５は制振用部材９を介して４隅を固定用板金１０に固定されている。固定用板金１０は、図示しない取り付け部材によって表示パネル２の裏側に取り付けられている。また、固定用板金１０にはハードディスク５の近傍に制振用スピーカ８が固定されている。
【００１６】
制振用部材９は、振動を抑える効果のあるゴムなどの材料で構成される。
【００１７】
＜Ａ−２．防振機構＞
図５は、ハードディスク内蔵テレビ１の構成を示すブロック図である。ハードディスク内蔵テレビ１は、既に述べた構成の他、映像音声制御部１１、映像出力部１２、音声出力部１３、音声合成部１４、逆位相音声信号生成部１５及び記録再生部１６を備えている。
【００１８】
映像音声制御部１１は、表示パネル２に表示すべき映像に関する映像信号と、スピーカ７から出力すべき音声に関する音声信号を出力する。映像音声制御部１１は、例えば、テレビ放送を受信する受信部であり、あるいは、ハードディスク５に記録された映像音声信号を記録再生部１６から取得する映像音声取得部である。映像出力部１２は、映像音声制御部１１から映像信号を取得し、当該映像信号に基づき表示パネル２に映像を表示する。音声出力部１３は、映像音声制御部１１から音声信号を取得し、当該音声信号を左スピーカ用音声信号と右スピーカ用音声信号に分けてそれぞれスピーカ７を駆動し、スピーカ７から音声（第１音声）を出力させる。スピーカ７から出力される音声は、フロントカバー３の穴３ａを通して筐体外部に向けて出力されるが、筐体内部にも出力される。その音声による振動は制振用部材９で緩和されるとはいえ、一部がハードディスク５にも伝搬する。
【００１９】
記録再生部１６は、映像音声制御部１１で取得した例えばテレビ放送信号を、映像音声制御部１１の制御に従いハードディスク５に記録し、又はハードディスク５から再生して映像音声制御部１１に出力する。
【００２０】
音声合成部１４は、音声出力部１３から左スピーカ用音声信号と右スピーカ用音声信号を取得し、これらを合成し、逆位相音声信号生成部１５に出力する。逆位相音声信号生成部１５は、音声合成部１４から受け取った音声信号を逆位相に変換し、当該変換した音声信号で制振用スピーカ８を駆動する。制振用スピーカ８の駆動は、スピーカ７の駆動と同期する。その結果、制振用スピーカ８は、スピーカ７が出力する音声（第１音声）と逆位相の音声（第２音声）を筐体内に出力する。
【００２１】
従って、固定用板金１０は、スピーカ７の出力音声による振動と、制振用スピーカ８の出力音声による振動を受ける。しかし、両振動は互いに逆位相であるため、打ち消し合う。すなわち、制振用スピーカ８の出力音声による振動により、スピーカ７の出力音声による振動が緩和され、固定用板金１０に伝搬する振動が緩和される。従って、固定用板金１０から制振用部材９を介してハードディスク５へ伝搬する振動が軽減され、ハードディスク５の振動によるアクセス不良を軽減することができる。
【００２２】
なお、映像音声制御部１１、映像出力部１２、音声出力部１３、音声合成部１４、逆位相音声信号生成部１５及び記録再生部１６は、ＲＡＭ（Ｒａｎｄｏｍ  Ａｃｃｅｓｓ  Ｍｅｍｏｒｙ）等のメモリに記録されたプログラムを実行するＣＰＵ（Ｃｅｎｔｒａｌ  Ｐｒｏｃｅｓｓｉｎｇ  Ｕｎｉｔ）により実現する。
【００２３】
＜Ａ−３．効果＞
実施の形態１のハードディスク内蔵機器は、筐体と、筐体に収納されたハードディスク５と、ハードディスク５に記録された音声信号により駆動されて第１音声を生成し、当該第１音声を筐体外に出力する、筐体に収納されたスピーカ７（第１スピーカ）と、スピーカ７が出力する音声信号の逆位相の音声信号を生成する逆位相音声信号生成部１５と、逆位相の音声信号により駆動されて第２音声を生成し、当該第２音声を筐体内に出力する、筐体に収納された制振用スピーカ８（第２スピーカ）と、を備える。従って、制振用スピーカ８からの第２音声の振動とスピーカ７からの第１音声の振動とが打ち消し合うことにより、ハードディスク５に伝搬する振動が緩和され、ハードディスク５の振動によるアクセス不良が軽減される。
【００２４】
また、実施の形態１のハードディスク内蔵機器はハードディスク内蔵映像表示機器であり、筐体は、ハードディスク５に記録された映像信号を出力する表示パネル２と、表示パネル２の側面及び背面を覆うケース（フロントカバー３およびバックカバー４）と、を備える。本発明によれば、このような映像表示機器に内蔵されたハードディスク５のアクセス不良を軽減することができる。
【００２５】
また、実施の形態１のハードディスク内蔵機器はハードディスク内蔵テレビ１であり、テレビ放送を受信する映像音声制御部１１（受信部）と、映像音声制御部１１が受信したテレビ放送の映像信号又は音声信号をハードディスク５に記録する記録再生部１６（記録部）と、をさらに備え、第１スピーカは、ハードディスク５に記録された音声信号又はテレビ放送の音声信号により駆動される。本発明によれば、このようなハードディスク内蔵テレビに内蔵されたハードディスク５のアクセス不良を軽減することができる。
【００２６】
なお、本発明は、その発明の範囲内において、実施の形態を適宜、変形、省略することが可能である。
【符号の説明】
【００２７】
１  ハードディスク内蔵テレビ、２  表示パネル、３  フロントカバー、３ａ  穴、４  バックカバー、５  ハードディスク、６  スタンド、７  スピーカ、８  制振用スピーカ、９  制振用部材、１０  固定用板金、１１  映像音声制御部、１２  映像出力部、１３  音声出力部、１４  音声合成部、１５  逆位相音声信号生成部、１６  記録再生部。
【図１】
2015185986.tif 000003
【図２】
2015185986.tif 000004
【図３】
2015185986.tif 000005
【図４】
2015185986.tif 000006
【図５】
2015185986.tif 000007